(57)【特許請求の範囲】
【請求項１】
空気の存在下で酸化発熱する発熱組成物を封入してなる通水性を有する偏平状袋が、肌密着側の面構成部材と肌着内面貼着側の面構成部材との周辺部同士をヒートヒールされてなり、
前記肌密着側の面構成部材は、外層となる疎水性及び通水性を有する第一の不織布と中間層となる吸水性及び保水性を有する第二の不織布とがそれぞれの通水性を遮断しないように接着又は溶着により積層され、さらに前記第二の不織布に内層となる第一のシーラントフィルムが接着又は溶着により積層されてなり、
前記肌着内面貼着側の面構成部材は、外層となる通気性を有する第三の不織布と内層となる通気性を有する第二のシーラントフィルムとが通気性を遮断しないように接着又は溶着により積層され、前記第三の不織布には通気性を遮断しないように肌着内面に貼着するための粘着塗膜が形成され、前記粘着塗膜にセパレータが積層されてなる、
ことを特徴とする肌着に内貼りする使い捨てカイロ。
【請求項２】
前記第二の不織布に薬剤、唐辛子エキス、或いは保湿剤を含浸してなる、
ことを特徴とする請求項１に記載の肌着に内貼りする使い捨てカイロ。
【発明の詳細な説明】
【技術分野】
【０００１】
本発明は、偏平状袋の一方の面を肌着内面に貼着し他方の面を肌に接触させる、肌着に内貼りする使い捨てカイロに関するものである。
【背景技術】
【０００２】
従来、カイロの温熱と貼薬の温熱刺激との相乗効果を図る使い捨てカイロが提案されている（特許文献１参照）。この使い捨てカイロは、発熱材を袋体内に封入して形成された使い捨てカイロの袋体の表面又は裏面に設けた接着層に、シートに貼薬剤を展延し剥離シートを貼着してなる貼薬を貼着してなる。
また、カイロの温熱と漢方植物エキスとの相乗効果を図る使い捨てカイロが提案されている（特許文献２参照）。この使い捨てカイロは、皮膚の保湿、殺菌、消炎作用を有するアロエ等の漢方植物エキスに浸透し乾燥させた不織布の袋に鉄粉、活性炭等を封入してなる。
【０００３】
【特許文献１】特開平１０−２０１７８７号公報
【特許文献２】特開２００６−２３９３６７号公報
【発明の開示】
【発明が解決しようとする課題】
【０００４】
しかしながら、特許文献１の使い捨てカイロは、シートに展延した貼薬剤が肌に密着するように固定し、薬剤を肌に吸収させるので、最初から肌にツッパリ感・違和感を生じ、肌に発汗があるとベトベト感を生じる、という問題がある。
【０００５】
また、特許文献２の使い捨てカイロは、不織布の袋をアロエ等の漢方植物エキスに浸透し乾燥させてあるが、肌に発汗があると汗が溶媒になり漢方植物エキスが浸み出してベトベト感・ツッパリ感を生じる、という問題がある。
【０００６】
本発明は、上述した点に鑑み案出したもので、偏平状袋の一方の面を肌着内面に貼着し他方の面を肌に接触させて使用し、汗をかいても該汗を吸収し、肌接触面がサラサラしてベトつかず、柔らかく肌触りが良く、肌に直接貼らないことにより、肌にツッパリ感が生じず、汗を吸収して粘着力を弱めて剥がれてしまうことがない、肌着に内貼りする使い捨てカイロを提供することを課題としている。
【課題を解決するための手段】
【０００７】
上記課題を解決するため、本発明は、空気の存在下で酸化発熱する発熱組成物を封入してなる通水性を有する偏平状袋が、肌密着側の面構成部材と肌着内面貼着側の面構成部材との周辺部同士をヒートヒールされてなり、前記肌密着側の面構成部材は、外層となる疎水性及び通水性を有する第一の不織布と中間層となる吸水性及び保水性を有する第二の不織布とがそれぞれの通水性を遮断しないように接着又は溶着により積層され、さらに前記第二の不織布に内層となる第一のシーラントフィルムが接着又は溶着により積層されてなり、前記肌着内面貼着側の面構成部材は、外層となる通気性を有する第三の不織布と内層となる通気性を有する第二のシーラントフィルムとが通気性を遮断しないように接着又は溶着により積層され、前記第三の不織布には通気性を遮断しないように肌着内面に貼着するための粘着塗膜が形成され、前記粘着塗膜にセパレータが積層されてなる、肌着に内貼りする使い捨てカイロとしたことを特徴とする。
【０００８】
本発明では、前記第二の不織布に薬剤、唐辛子エキス、或いは保湿剤を含浸してなることが望ましい。
【発明の効果】
【０００９】
本発明によれば、肌着内面貼着側の面構成部材を粘着剤塗布層により肌着内面に貼着して使用すると、肌密着側の面構成部材を肌に接触させることになり、肌着内面貼着側の面構成部材を通して偏平状袋内への空気からの酸素を取り入れて発熱組成物が酸化発熱し、カイロとして機能し、汗をかいても該汗を吸収し、肌接触面がサラサラしてベトつかず、柔らかく肌触りが良く、肌に直接貼らないことにより、肌につっぱり感が生じず、汗を吸収して粘着力を弱めて剥がれてしまうことがない、使い捨てカイロを提供することができる。
【発明を実施するための最良の形態】
【００１０】
以下に、本発明の実施の形態に係る肌着に内貼りする使い捨てカイロを図面を参照して説明する。
【００１１】
〔基本的構成〕
図１、図２に示すように、肌着に内貼りする使い捨てカイロ１は、偏平状袋１０と、偏平状袋１０に封入された発熱組成物４０とを有してなる。偏平状袋１０は、肌密着側の面構成部材２０と、肌着内面貼着側の面構成部材３０とからなる四方シール袋である。肌密着側の面構成部材２０は、第一の不織布２１と第二の不織布２２と第一のシーラントフィルム２３とを積層してなる。肌着内面貼着側の面構成部材３０は、第三の不織布３１と第二のシーラントフィルム３２とを積層し第三の不織布３１に粘着性塗膜３３を形成しセパレータ３４を積層してなる。
【００１２】
この肌着に内貼りする使い捨てカイロ１は、セパレータ３４を剥がし粘着性塗膜３３を肌着内面に貼着し肌密着側の面構成部材２０を肌に接触させて使用する。この肌着に内貼りする使い捨てカイロ１は、肌密着側の面構成部材２０を、二層構造の不織布を備え、外層の第一の不織布２１にサラサラ感を持たせ、中間層の第二の不織布２２に汗吸収機能或いは薬剤保持機能を有している。そして、第二の不織布２２に汗が吸収され又は薬剤が含浸されていると、肌密着側の面構成部材２０から偏平状袋１０への空気中の酸素の侵入が行われがたいので、肌着内面貼着側の面構成部材３０に通気性を持たせ、偏平状袋１０への空気中の酸素の侵入を肌着内面に貼着した面構成部材３０を通して行うようになっている。
以下、さらに詳細に説明する。
【００１３】
〔実施の形態１〕
この実施の形態１の使い捨てカイロ１は、図１、図２に示すように、肌密着側の面構成部材２０と肌着内面貼着側の面構成部材３０との周辺部同士をヒートヒールしてなる四方シール包装袋である偏平状袋１０と、偏平状袋１０に封入され空気の存在下で酸化発熱する発熱組成物４０とからなる。
【００１４】
肌密着側の面構成部材２０は、外層となる疎水性及び通水性を有する第一の不織布２１と、中間層となる吸水性及び保水性を有する第二の不織布２２と、内層となる第一のシーラントフィルム２３とが積層されてなる。第一の不織布２１と第二の不織布２２とは、格子状、ドット状、クモの巣状、ストライプ状等の接着部２４で接着されており、該接着部２４が、第一の不織布２１と第二の不織布２２との間の通水性を遮断しないようになっている。なお、接着に換えて溶着としても良い。
第二の不織布２２に対し、第一のシーラントフィルム２３が接着部２５により接着積層されている。この実施の形態の第一のシーラントフィルム２３は、三層共押出フィルムを採用している。具体的には、無機フィラー入りポリエチレン１軸延伸フィルム（白色）２３ａ、低密度ポリエチレン（ＬＤＰＥ）２３ｂと、直鎖状低密度ポリエチレン（ＬＬＤＰＥ）とを三層共押出成形してなる。この三層共押出フィルムは、通気性を有していない。なお、第一のシーラントフィルム２３は、低密度ポリエチレンの単層であっても良い。三層共押出フィルムの方がコストが安い。
【００１５】
第一の不織布２１には、例えば白色の厚さ約０．２ｍｍ、目付け２３〜２５ｇ／ｍ２のスパンレースと称する不織布を用いることができる。第二の不織布２２には、白色の、レーヨン又は高吸水性ポリマー繊維より作られた例えば厚さ約０．２５ｍｍ、目付け４３ｇ／ｍ２の不織布を用いることができる。無機フィラー入りポリエチレン１軸延伸フィルム（白色）２３ａは例えば厚さ３０μｍ、目付け３０ｇ／ｍ２、低密度ポリエチレン（ＬＤＰＥ）２３ｂは例えば厚さ１５μｍ、メタセロン系押出原料低密度ポリエチレン（ｍＬＬＤＰＥ）は例えば厚さ１７μｍとすることができる。
無機フィラー入りポリエチレン１軸延伸フィルム（白色）２３ａの使用は、マイクロポーラス（延伸による）の白により中身の発熱組成物４０が見えないようにすることと風合いが目的であり、また、シール強度、ホットタック性、低温シール性があるものを選定した結果である。
【００１６】
肌着内面貼着側の面構成部材３０は、外層となる通気性を有する第三の不織布３１と内層となる通気性を有する第二のシーラントフィルム３２とが積層されてなる。第三の不織布３１と第二のシーラントフィルム３２とは、格子状、ドット状、クモの巣状、ストライプ状等の接着部３５で接着されており、該接着部３５が、第三の不織布３１及び第二のシーラントフィルム３２の通気性を遮断しないようになっている。なお、接着に換えて溶着でも良い。
【００１７】
肌着内面貼着側の面構成部材３０は、さらに、第三の不織布３１に通気性を遮断しないように肌着内面に貼着するための粘着性塗膜３３が形成され、粘着性塗膜３３にセパレータ（離型紙）３４が積層されてなる。粘着性塗膜３３は、格子状、ドット状、クモの巣状、ストライプ状等に設けられ、第三の不織布３１の通気性を遮断しないようになっている。
【００１８】
第三の不織布３１には、例えば白色のナイロンスパンボンド又はポリエステル繊維より作られた例えば厚さ約０．１５ｍｍ、目付け３５ｇ／ｍ２の不織布を用いることができる。第二のシーラントフィルム３２には、例えば厚さ約７０μｍの多孔質未延伸低密度ポリエチレン、又は多孔質未延伸直鎖状低密度ポリエチレンを用いることができる。
【００１９】
発熱組成物４０の形態・組成は、空気の存在下で酸化発熱する鉄粉等の金属粉末を主体とする発熱組成物であるが、特に限定しない。発熱組成物４０は、一般的に、鉄粉、活性炭、塩類、吸水性樹脂および水を含んでなるか、あるいは、鉄粉等の金属粉末、塩類、水、活性炭及び保水剤を主成分とする。空気の存在下で酸化発熱する鉄粉は、例えば、反応助剤、水、及び保水剤と混合して大気中で緩発熱する組成物用の原料鉄粉を含む。
【００２０】
上述のように、この実施の形態の使い捨てカイロ１は、肌密着側の面構成部材２０を構成する不織布について、外層となる疎水性及び通水性を有する第一の不織布２１と、中間層となる吸水性及び保水性を有する第二の不織布２２との２層構造とし、又、肌着内面貼着側の面構成部材３０について、不織布３１と第二のシーラントフィルム３２とを積層し両者に通気性を持たせた。
【００２１】
この使い捨てカイロ１は、肌着内面貼着側の面構成部材３０のセパレータ３４を剥がして粘着性塗膜３３を肌着内面に貼着して肌密着側の面構成部材２０の柔らかく肌触りが良くサラサラ感がある第一の不織布２１を肌に接触させて使用する。
【００２２】
偏平状袋１０内への空気からの酸素の取り入れは、肌着内面貼着側の面構成部材３０を通して行われる。発熱組成物４０が酸化発熱し、第一の不織布２１と接触した肌部分に温熱効果を継続して与え、該肌部分に汗をかいたとき、該汗を吸水性及び保水性を有する第二の不織布２２が吸収する。疎水性を有する第一の不織布２１は、肌に対してサラサラ感を継続し汗によるベトつきが出てくることがない。この使い捨てカイロ１は、肌に直接貼らないことにより、肌につっぱり感を生じず、汗を吸収して粘着力を弱めて剥がれてしまうことがない。
【００２３】
〔その他の実施の形態〕
本発明は上記実施の形態にこれに限定されるものでなく、特許請求の範囲に記載された発明の要旨を逸脱しない範囲内での種々、設計変更した形態を技術的範囲に含むものである。
【００２４】
上記実施の形態１の使い捨てカイロ１は、吸水性及び保水性を有する第二の不織布２２に予め薬剤等を含浸させないで、該第二の不織布２２に汗を吸収する機能を持たせたが、該第二の不織布２２に薬剤（血行促進剤、鎮痛剤、消炎剤など）、唐辛子エキス、漢方エキス、或いは保湿剤を予め含浸してなる場合も本発明の技術的範囲に含むものである。
第二の不織布２２に薬剤等を含浸させた場合でも、疎水性を有する第一の不織布２１は、肌に対してサラサラ感を与えることができ、汗によるベトつきが生じない。この使い捨てカイロ１は、肌に直接貼らないことにより、肌につっぱり感を生じず、汗を吸収して粘着力を弱めて剥がれてしまうことがない。
このため、第二の不織布２２に通気性を確保することができないことと、発熱組成物４０に含まれる水分が蒸気となって第一の不織布２１より肌に触れないようにするために、上記実施の形態では、第一のシーラントフィルム２３には通気性を有しないものを選択したが、第一のシーラントフィルム２３には通気性を持たせても使用上、特に差支えがないので、第一のシーラントフィルム２３に通気性を持たせた場合も本発明に含まれる。これとともに、接着部２５は、通気性の有無を問わない。
【図面の簡単な説明】
【００２５】
【図１】実施の形態１に係る肌着に内貼りする使い捨てカイロの断面図である。
【図２】図１の要部拡大図である。
【符号の説明】
【００２６】
１  肌着に内貼りする使い捨てカイロ
１０  偏平状袋
２０  肌密着側の面構成部材
２１  第一の不織布
２２  第二の不織布
２３  第一のシーラントフィルム
３０  肌着内面貼着側の面構成部材
３１  第三の不織布
３２  第二のシーラントフィルム
３３  粘着性塗膜
３４  セパレータ
４０  発熱組成物
【図１】
0005204494.tif 000002
【図２】
0005204494.tif 000003